(57)【要約】  【課題】  異なるフォーマットのビデオデータを連続的に再生する際の状態遷移を容易に行う。  【解決手段】  ＤＶフォーマットを２倍速で再生中に、磁気テープ２８上のフォーマットが２倍速再生に対応していないＨＤ２フォーマットに切り替わると、フォーマットの切り替わりが検出され、検出結果に基づき、ＨＤ２フォーマットが対応する２倍速再生に最も見た目に近い１倍速再生に再生モードがすげ替えられ、２倍速再生モードから１倍速再生モードへと、自動的に状態遷移される。ＨＤ２フォーマット再生中にユーザ入力により指定された２倍速再生モードも、１倍速再生モードにすげ替えられる。ＨＤ２フォーマットからＤＶフォーマットへ再び切り替わると、すげ替えられる元の、２倍速再生モードに自動的に状態遷移される。ユーザは、フォーマットの切り替わり時に特別な操作を行わなくても、再生を継続できる。【選択図】  図６
2006065962.tif 000002
【特許請求の範囲】
【請求項１】
異なる複数のフォーマットのディジタルビデオ信号が混在して記録された磁気テープを再生可能な再生装置において、
磁気テープに記録されたディジタルビデオ信号のフォーマットを判定するフォーマット判定手段と、
上記磁気テープに記録されたディジタルビデオ信号を所定の状態で再生する再生手段と、
上記フォーマット判定手段の判定結果に基づき上記再生手段の上記状態の遷移を管理する状態遷移管理手段と
を有することを特徴とする再生装置。
【請求項２】
請求項１に記載の再生装置において、
上記状態遷移管理手段は、上記状態遷移先のフォーマットが該状態遷移により遷移される状態に対応していないときに、該状態を該状態遷移先のフォーマットが対応する他の状態にすげ替えて上記再生手段を状態遷移させるようにしたことを特徴とする再生装置。
【請求項３】
請求項２に記載の再生装置において、
上記状態遷移は、上記磁気テープを再生中に上記フォーマットが切り替わることで発生する状態遷移であることを特徴とする再生装置。
【請求項４】
請求項２に記載の再生装置において、
上記状態遷移は、ユーザ入力に基づき発生する状態遷移であることを特徴とする再生装置。
【請求項５】
請求項２に記載の再生装置において、
上記他の状態は、上記状態遷移前の再生画像と見た目に近い再生画像が得られる状態であることを特徴とする再生装置。
【請求項６】
請求項２に記載の再生装置において、
上記状態遷移が発生したときに上記状態遷移先のフォーマットを既に再生中であって、
上記他の状態は、該再生中の状態であることを特徴とする再生装置。
【請求項７】
請求項２に記載の再生装置において、
上記状態遷移管理手段は、上記他の状態にすげ替えて状態遷移させた後に、フォーマットが上記状態遷移により遷移される状態に対応しているフォーマットに切り替わったときに、上記すげ替えられる元の状態に状態遷移させるようにしたことを特徴とする再生装置。
【請求項８】
請求項２に記載の再生装置において、
上記他の状態は、上記状態遷移を停止する状態であることを特徴とする再生装置。
【請求項９】
請求項１に記載の再生装置において、
上記状態遷移管理手段は、所定のフォーマットに対応した状態遷移のみを強制的に行う第１のモードと、上記フォーマット判定手段により判定されたフォーマットに応じて状態遷移を発生させる第２のモードとを有することを特徴とする再生装置。
【請求項１０】
異なる複数のフォーマットのディジタルビデオ信号が混在して記録された磁気テープを再生するようにした再生方法において、
磁気テープに記録されたディジタルビデオ信号のフォーマットを判定するフォーマット判定のステップと、
上記磁気テープに記録されたディジタルビデオ信号を所定の状態で再生する再生のステップと、
上記フォーマット判定のステップの判定結果に基づき上記再生のステップの上記状態の遷移を管理する状態遷移管理のステップと
を有することを特徴とする再生方法。
【発明の詳細な説明】
【技術分野】
【０００１】
この発明は、異なる複数のフォーマットのディジタルビデオ信号が混在して記録された記録媒体を再生する再生装置および再生方法に関する。
【背景技術】
【０００２】
従来から、記録媒体として磁気テープを用い、１の記録媒体上にエンコード／デコード単位の異なる複数フォーマットのビデオデータを記録するようにした記録装置や、デコード単位の異なる複数フォーマットのビデオデータが混在して記録された記録媒体を再生するような再生装置が提案されている。特許文献１には、複数フォーマットの圧縮／伸長回路をそれぞれ有し、必要に応じてそれらを切り換えることで、１の記録媒体を用いて複数フォーマットの映像データの記録再生を可能としたデジタル記録ビデオカメラが記載されている。
【特許文献１】特開平１０−１７４０３２号公報
【０００３】
ここで、ＭＰＥＧ２(Moving Pictures Experts Group 2)方式で符号化したビデオデータと、ＤＶ方式で符号化したビデオデータとを、１本の磁気テープ上に混在して記録する場合について考える。
【０００４】
周知のように、ＭＰＥＧ２方式では、ＤＣＴ(Discrete Cosine Transform)を用いたフレーム内圧縮符号化と、時系列方向の予測符号化を用いたフレーム間圧縮符号化とを用いてビデオデータを圧縮符号化する。ここで、時系列方向に予測符号化を行ったＢ(Bidirectionally)ピクチャおよびＰ(Predictive)ピクチャと、１画面（１フレーム）で完結するＩ(Intra)ピクチャとが定義される。最低１枚のＩピクチャを含むそれ自身で完結したグループをＧＯＰ(Group Of Picture)と呼び、ＭＰＥＧのストリームにおいて独立してアクセス可能な最小の単位とされる。
【０００５】
ここでは、１ＧＯＰは、１枚のＩピクチャと、複数枚のＰピクチャおよびＢピクチャからなる１５フレームから構成され、再生時間の０．５秒に対応するものとする。一方、ＤＶ方式においては、フレーム間圧縮符号化は行われず、１フレーム毎にアクセスが可能である。
【０００６】
図１３は、ＭＰＥＧ２方式で１ＧＯＰが１５フレームから構成される場合の、磁気テープなど記録媒体上における各フレームの一例の記録順を示す。各ピクチャの出力順は、図１３において「Ｉ」、「Ｐ」、「Ｂ」の後ろにそれぞれ付した番号順となる。このように、ＰピクチャおよびＢピクチャは、自身の予測に用いられる他のピクチャよりも、記録順で後ろに位置していなければならない。すなわち、出力順で最初および２番目のＢピクチャＢ０およびＢ１は、前のＧＯＰのＰピクチャＰ１４と、このＧＯＰのＩピクチャＩ２とを用いて予測されるため、記録順で、ピクチャＩ２より後ろに配置される。同様に、再生順で４番目および５番目のＢピクチャＢ３およびＢ４は、ＩピクチャＩ２とＰピクチャＰ５とを用いて予測されるため、ＩピクチャＩ２およびＰピクチャＰ５よりも記録順で後ろに配置される。
【０００７】
このように、ＭＰＥＧ２方式では、Ｂピクチャを出力するために、当該Ｂピクチャよりも出力順で前後のピクチャを用いるので、再生時には、予め数フレーム分のデータを磁気テープから先読みし、メモリに蓄えておく必要がある。これに対し、ＤＶ方式では、フレーム間圧縮符号化を行わないので、このような先読み処理は必要ない。
【０００８】
そのため、ＤＶ方式によりフレーム単位で動作するモードと、ＭＰＥＧ２方式によりＧＯＰ単位で動作するモードとでは、メカ機構的に異なる動作となる。例えば、ＤＶ方式では、フレーム単位でアクセス制御を行えばよいが、ＭＰＥＧ２方式では、ＧＯＰの先頭をサーチし、さらに数フレーム分遡ったフレームをサーチするアクセス制御動作となる。
【０００９】
また、ＤＶ方式では、画サイズが７２０画素×４８０ラインと固定的に決められているが、ＭＰＥＧ２方式では、さらに高解像度の記録が可能で、例えば６０Ｈｚシステムの「１２８０画素×７２０ライン、３０フレーム毎秒、アスペクト比１６：９」、「７２０画素×４８０ライン、６０フレーム毎秒、アスペクト比１６：９」、「７２０画素×４８０ライン、６０フレーム毎秒、アスペクト比４：３」、・・・、５０Ｈｚシステムの「７２０画素×５７６ライン、５０フレーム毎秒、アスペクト比１６：９」、「７２０画素×５７６ライン、２５フレーム毎秒、アスペクト比４：３」、・・・といった複数の画サイズを選択可能である。この場合も、ＤＶ方式とＭＰＥＧ２方式とでは、信号処理系において、異なる動作が必要となる。
【発明の開示】
【発明が解決しようとする課題】
【００１０】
したがって、例えばＤＶ方式のビデオデータとＭＰＥＧ２方式のビデオデータとが混在して記録されたビデオテープを再生すると、ＤＶ方式とＭＰＥＧ方式２との切り替わり点で、システムの状態を切り換えるために時間を要し、図１４に一例が示されるように、ビデオデータを再生できない期間が生じてしまう。例えば、再生中のシステムを、磁気テープ上の記録フォーマットに従い切り替えるようにした場合、ＭＰＥＧ２方式からＤＶ方式へと切り替わる際に数フレーム、ＤＶ方式からＭＰＥＧ２方式へと切り替わる際に数秒もの、再生不能期間が生じてしまうという問題点があった。
【００１１】
これは、ユーザが意図的にＭＰＥＧ２方式およびＤＶ方式を切り替えなくても、例えばＤＶ方式で全長にわたって記録済みのテープに対して、ＭＰＥＧ２方式により上書き記録を行うような場合でも発生することになり、問題であった。
【００１２】
外部から入力されたビデオデータを記録する際にも、同様の問題が生じる。図１５を参照し、当初、メカモードが再生（ＰＢ）状態、システムがＤＶ方式に対応した状態になっているものとする。そこに、外部からＭＰＥＧ２方式の入力ストリームが入力されると共に、メカモードが記録（ＲＥＣ）モードに切り替わった場合、システムは、ＤＶ方式からＭＰＥＧ２方式へと動作を切り替える必要がある。この場合にも、上述と同様、ＤＶ方式からＭＰＥＧ２方式へと動作を切り替える際には、数秒のシステム遷移時間が発生し、その間、入力ストリームの記録は、なされない。
【００１３】
この問題を解消するために、従来では、例えばフォーマット単位で状態遷移表を用意し、フォーマット間で差分のある状態遷移だけ特殊処理を行うことが行われていた。しかしながら、この方法では、特殊処理を行うためのアルゴリズムが巨大化、複雑化してしまうという問題点があった。
【００１４】
また、従来では、フォーマットを切り替える処理をシステムが自動で行い、フォーマットを固定する方法が無かった。そのため、フォーマット切り替え時に、システム固有の問題が発生しやすくなっていた。
【００１５】
さらに、近年では、記録再生装置とパーソナルコンピュータとを、例えばＩＥＥＥ(Institute Electrical and Electronics Engineers)１３９４といった所定のインターフェイスで接続し、記録再生装置からパーソナルコンピュータに対して、記録媒体から再生されたビデオストリームを転送することが一般的に行われている。この場合、従来では、転送するビデオストリームのフォーマットを自動判別していた。そのため、複数の異なるフォーマットのビデオデータが記録媒体に記録されており、それを連続的に再生するような場合、インターフェイスで接続先の機器が対応しないフォーマットのストリームを転送してしまう可能性があった。このような場合、接続先の機器において、システムがハングアップするなどの不都合が起こる可能性が多分にあるという問題点があった。
【００１６】
したがって、この発明の第１の目的は、異なるフォーマットのビデオデータを連続的に再生する際の状態遷移を容易に行うことができるような再生装置および再生方法を提供することにある。
【００１７】
また、この発明の第２の目的は、異なるフォーマットのビデオデータを連続的に再生する際に、フォーマットの切り替わり点でのデータの遅延が発生しないような再生装置および再生方法を提供することにある。
【００１８】
また、この発明の第３の目的は、再生されたビデオデータを通信手段で外部のコンピュータ装置などに送信する際に、異なるフォーマットのビデオデータが連続的に再生された場合に、受信側の装置で問題が発生しないような再生装置および再生方法を提供することにある。
【課題を解決するための手段】
【００１９】
この発明は、上述した課題を解決するために、異なる複数のフォーマットのディジタルビデオ信号が混在して記録された磁気テープを再生可能な再生装置において、磁気テープに記録されたディジタルビデオ信号のフォーマットを判定するフォーマット判定手段と、磁気テープに記録されたディジタルビデオ信号を所定の状態で再生する再生手段と、フォーマット判定手段の判定結果に基づき再生手段の状態の遷移を管理する状態遷移管理手段とを有することを特徴とする再生装置である。
【００２０】
また、この発明は、異なる複数のフォーマットのディジタルビデオ信号が混在して記録された磁気テープを再生するようにした再生方法において、磁気テープに記録されたディジタルビデオ信号のフォーマットを判定するフォーマット判定のステップと、磁気テープに記録されたディジタルビデオ信号を所定の状態で再生する再生のステップと、フォーマット判定のステップの判定結果に基づき再生のステップの状態の遷移を管理する状態遷移管理のステップとを有することを特徴とする再生方法である。
【００２１】
上述したように、この発明は、磁気テープに記録されたディジタルビデオ信号のフォーマットを判定した判定結果に基づき、磁気テープに記録されたディジタルビデオ信号を所定の状態で再生するように再生の状態遷移を管理するようにしているため、磁気テープに記録されたディジタルビデオ信号のフォーマットに応じて再生の状態を遷移させることができる。
【発明の効果】
【００２２】
この発明の実施の第１の形態によれば、磁気テープから再生されるディジタルビデオ信号のフォーマットを検出し、検出されたフォーマットに応じて自動的にメカモードが遷移されるため、ユーザは、再生時にフォーマットの切り替わり点で何ら操作をすることなく、続けて再生画像を見ることができる効果がある。
【００２３】
また、フォーマットの切り替わり点の前のフォーマットにはあるメカモードが、切り替わり点の後のフォーマットには無い場合、切り替わり点の後のメカモードが再生画像を見た目に大きく変わらないようなメカモードにすげ替えられるため、ユーザに対して、フォーマットが切り替わらない場合と同様の遷移をしている状態を提供できるという効果がある。
【００２４】
さらに、この発明の実施の第２の形態によれば、第１のフォーマットおよび第２のフォーマットの何れかのメカモードをユーザが指定することができるため、磁気テープから再生されたディジタルビデオ信号のフォーマットが変更されても、フォーマットの変更による遅延が発生しないため、単一フォーマットを対象とした編集作業の際に、遅延による信号の取りこぼしが無いという効果がある。
【００２５】
さらにまた、この発明の実施の第３の形態によれば、磁気テープから再生されたディジタルビデオ信号を、通信インターフェイスを介して外部のコンピュータ装置などに送信する際に、送信されるディジタルビデオ信号のフォーマットをユーザが指定することができるため、再生ディジタルビデオ信号のフォーマットが再生中に変更されても、送信先のコンピュータ装置などで不具合が起こることが防がれるという効果がある。
【発明を実施するための最良の形態】
【００２６】
以下、この発明の実施の形態を、図面を参照しながら説明する。図１は、この発明の実施の形態に適用可能なビデオカメラ装置１の一例の構成を示す。このビデオカメラ装置１は、撮像素子で撮像されて得られた映像信号を磁気テープに記録し、磁気テープに記録された映像信号を再生することができる。信号フォーマットとしては、ＤＶフォーマットと、ＭＰＥＧ２方式を用いて１２８０画素×７２０ライン（プログレッシブ）で記録するビデオフォーマット（以下、ＨＤ１フォーマット）と、ＭＰＥＧ２方式を用いて１４４０画素×１０８０ライン（インタレース）で記録するビデオフォーマット（以下、ＨＤ２フォーマット）とに対応する。
【００２７】
すなわち、このビデオカメラ装置１は、ＤＶフォーマットおよびＨＤ２フォーマットを１本の磁気テープ上に混在して記録可能である。また、ＤＶフォーマット、ＨＤ１フォーマットおよびＨＤ２フォーマットが混在して記録された磁気テープを再生可能である。
【００２８】
このビデオカメラ装置１において、ＤＶフォーマットでは、カラーシステムが４：１：１、画サイズが７２０画素×４８０ラインで、オーディオ信号に関して、量子化ビット数が１２ビットでサンプリング周波数３２ｋＨｚと、量子化ビット数が１６ビットでサンプリング周波数が４８ｋＨｚとが記録時に選択できる。また、ＨＤ２フォーマットでは、カラーシステムが４：２：０で画サイズが１０８０ｉ（１４４０画素×１０８０ライン、インタレース）、オーディオ信号に関して、量子化ビット数が１６ビット、サンプリング周波数が４８ｋＨｚとされている。
【００２９】
このビデオカメラ装置１は、複数のＣＰＵ(Central Processing Unit)５０、５１、５２および５３を有する。これら複数のＣＰＵが互いに連携して動作することによって、ビデオカメラ装置１の全体が制御される。なお、図示しないが、ＣＰＵ５０、５１、５２および５３は、それぞれＲＡＭ(Random Access Memory)およびＲＯＭ(Read Only Memory)を有し、ＲＯＭに予め記憶されたプログラムに従い動作する。ＲＡＭは、ＣＰＵのワークメモリとして用いられる。
【００３０】
複数のＣＰＵの役割分担として、ＣＰＵ５０は、ユーザインターフェイス７１およびビデオカメラ装置１の全体の制御に関わる。ＣＰＵ５１は、光学系１０を含む撮像処理の制御に関わる。ＣＰＵ５２は、ＭＰＥＧ２のエンコード処理およびデコード処理、ならびに、ＭＰＥＧ２のＰＳ(Program Stream)によるビデオデータおよびオーディオデータの多重化および分離処理に関わる。また、ＣＰＵ５３は、磁気テープの記録再生や、メカの制御に関わり、例えば記録時と再生時のメカモードの遷移や信号処理系の動作モードの切り替えを制御する。
【００３１】
さらに、ＣＰＵ５０に対して、バス６０が接続される。バス６０には、例えばフラッシュメモリといった書き換え可能なＲＯＭ６１と、ＲＡＭとが接続される。また、バス６０には、脱着自在で書き換え可能なＲＯＭ（例えばフラッシュメモリ）６４が装填可能なメモリインターフェイス６３が接続される。
【００３２】
なお、ＣＰＵ５０に対して、ユーザインターフェイス７１が接続される。ユーザインターフェイス７１は、このビデオカメラ装置１に対して各種設定や操作を行うためのスイッチ類や、ビデオカメラ装置１の状態に応じて表示がなされる例えばＬＥＤ(Light Emitting Diode)からなる表示素子が設けられてなる。ユーザは、このユーザインターフェイスを用いて、このビデオカメラ装置１による撮影や撮影された映像信号の記録、記録された映像信号の再生、ビデオカメラ装置１に対する各種設定などの諸操作を行うことができる。
【００３３】
記録時の動作について説明する。ユーザが、このビデオカメラ装置１の動作を記録動作に切り替えるために、図示されないユーザインターフェイス７１を操作する。このとき、ディジタルビデオ信号をＨＤ２フォーマットおよびＤＶフォーマットの何れで記録するかが指定される。また、ＤＶフォーマットで記録する場合、オーディオ信号のビット解像度が１２ビットおよび１６ビットから選択される。これに限らず、このビデオカメラ装置１において各々のフォーマットに許される、諸モードを選択するようにできる。
【００３４】
ユーザの操作に応じた制御信号がユーザインターフェイス７１からＣＰＵ５０に供給される。ＣＰＵ５０は、この制御信号に応じて、ＣＰＵ５０により操作画面など所定の表示画面を表示させる表示制御信号を生成すると共に、ビデオカメラ装置１の各部に、動作モードが記録モードに切り替えられた旨および記録フォーマットを通知する。ＣＰＵ５３は、この通知を受け、回転ヘッド２７の回転や磁気テープ２８の走行を駆動するメカ機構を記録時の動作に対応する用に切り替えると共に、信号処理系の動作を記録モードに対応するように切り替える。
【００３５】
被写体からの光が光学系１０を介して、撮像素子であるＣＣＤ(Charge Coupled Device)１１に入射される。図１では省略されているが、光学系１０は、フォーカス機構、ズーム機構、絞り機構などを含む。また、この例では、ＣＣＤ１１は、赤色（Ｒ）、緑色（Ｇ）および青色（Ｂ）の三原色の各色にそれぞれ独立したＣＣＤを有する、所謂３板式が用いられている。したがって、ＣＣＤ１１からは、実際には、Ｒ、ＧおよびＢの各色の信号がそれぞれ出力される。
【００３６】
ＣＣＤ１１から出力された撮像信号は、ＣＤＳ(Correlated Double Sampling)・Ａ／Ｄ変換回路１２により、サンプリングされディジタルビデオ信号に変換される。ＣＤＳ・Ａ／Ｄ変換回路１２の出力は、撮像信号処理回路１３に供給される。撮像信号処理回路１３は、供給されたディジタルビデオ信号に対して、ゲイン調整処理、γ処理、ホワイトバランス処理などの所定の映像信号処理を施し、出力する。撮像信号処理回路１３の出力は、ベースバンド信号処理回路１４に供給される。
【００３７】
なお、ＣＤＳ・Ａ／Ｄ変換回路１２および撮像信号処理回路１３は、ＣＰＵ５１により所定に制御される。
【００３８】
音声は、マイクロフォン１５によって集音され、アナログオーディオ信号に変換される。アナログオーディオ信号は、オーディオ信号処理回路１７により、所定に増幅処理や音質補正処理、雑音低減処理などを施される。オーディオ信号処理回路１７から出力されたアナログオーディオ信号は、Ａ／Ｄ変換およびＤ／Ａ変換回路１８に供給される。Ａ／Ｄ変換およびＤ／Ａ変換回路１８は、アナログオーディオ信号の入力に対しては、Ａ／Ｄ変換を施してディジタルオーディオ信号に変換し、ディジタルオーディオ信号の入力に対しては、Ｄ／Ａ変換を施しアナログオーディオ信号に変換する。Ａ／Ｄ変換およびＤ／Ａ変換回路１８から出力されたディジタルオーディオ信号は、ベースバンド信号処理回路１４に供給される。
【００３９】
アナログオーディオ信号は、オーディオ入出力端子１６から入力することもできる。実際には、オーディオ入出力端子１６は、オーディオ入力端子およびオーディオ出力端子がそれぞれ独立してなる。オーディオ入出力端子１６から入力されたアナログオーディオ信号は、オーディオ信号処理回路１７を介してＡ／Ｄ変換およびＤ／Ａ変換回路１８に供給され、ディジタルオーディオ信号に変換され、ベースバンド信号処理回路１４に対して供給される。
【００４０】
なお、このビデオカメラ装置１では、Ａ／Ｄ変換およびＤ／Ａ変換回路１８におけるＡ／Ｄ変換時のビット解像度を１２ビット／サンプル、１６ビット／サンプルといったように、記録のモードやユーザの選択により複数から選択することができる。ディジタルオーディオ信号のビット解像度は、例えばユーザインターフェイス７１に対する操作に応じたＣＰＵ５０からの命令に基づきＣＰＵ５３から渡される制御信号により設定される。
【００４１】
また、オーディオ信号処理回路１７は、マイクロフォン１５の接続の有無、オーディオ入出力端子１６に対する接続の有無を検出することができる。さらに、Ａ／Ｄ変換およびＤ／Ａ変換回路１８は、マイクロフォン１５やオーディオ入出力端子１６から入力されたアナログオーディオ信号をディジタルオーディオ信号に変換する際に、その信号のレベルを検出し、ディジタルデータとして出力することができる。オーディオ信号処理回路１７によるオーディオ入出力端子１６に対する接続の有無の検出結果や、オーディオ信号のレベルデータは、ＣＰＵ５３に渡される。
【００４２】
ベースバンド信号処理回路１４は、供給されたディジタルビデオ信号やディジタルオーディオ信号に対して所定の信号処理を施し、出力する。例えば、ディジタルビデオ信号に対しては、ＨＤ２フォーマットおよびＤＶフォーマットのうち指定されたフォーマットに対応した画サイズ変換処理やカラーシステム変換処理、フィールド処理などが行われる。また、ディジタルビデオ信号を、撮像画像のモニタなどに用いられる表示パネル３４や、ビューファインダ（ＥＶＦ）３７に供給するために、これら表示パネル３４やビューファインダ３７の表示に適するように画サイズ変換や各種処理が施される。
【００４３】
ベースバンド信号処理回路１４から出力されたディジタルビデオ信号およびディジタルオーディオ信号は、ＭＰＥＧ処理部２０およびＤＶ処理部２５に供給される。また、ベースバンド信号処理回路１４から出力されたディジタルビデオ信号は、表示パネル３４およびビューファインダ３７、ならびに、外部出力端子であるＤ４端子３１およびＳＤ端子３９にも導出される。
【００４４】
例えば、ベースバンド信号処理回路１４で表示パネル３４用に所定に処理されたディジタルビデオ信号は、ドライバ３３に供給される。ドライバ３３は、ＣＰＵ５３により制御されるタイミングジェネレータ（ＴＧ）３２から出力されるタイミング信号に基づき、供給されたディジタルビデオ信号を出力し、例えばＬＣＤ(Liquid Crystal Display)からなる表示パネル３４を駆動する。同様に、ベースバンド信号処理回路１４でＥＶＦ３７用に所定に処理されたディジタルビデオ信号は、ドライバ３６に供給され、ＣＰＵ５３により制御されるＴＧ３５から出力されるタイミング信号に基づき、供給されたディジタルビデオ信号を出力し、例えばＬＣＤからなるＥＶＦ３７を駆動する。
【００４５】
また例えば、ベースバンド信号処理回路１４から出力されたディジタルビデオ信号は、ドライバ３０により駆動されてＤ４端子３１に導出される。同様に、ベースバンド信号処理回路１４から出力されたディジタルビデオ信号は、ＳＤ  Ｉ／Ｆ３８に供給され、ＳＤ(Standard Definition)の規格に準ずるフォーマットにマッピングされ、ＳＤ入出力端子３９に導出される。なお、実際には、ＳＤ入出力端子３９は、ＳＤ入力端子およびＳＤ出力端子がそれぞれ独立してなる。
【００４６】
一方、ベースバンド信号処理回路１４から出力されＭＰＥＧ処理部２０に供給されたディジタルビデオ信号は、ＭＰＥＧエンコーダ（ＥＮＣ）２１に入力され、ＭＰＥＧ２方式によりエンコードされる。例えば、先ず動きベクトルを用いた予測符号化により、フレーム間圧縮を行う。このとき、１５フレームで１ＧＯＰを構成するように、１５フレーム毎にＩピクチャを１枚配し、またＰピクチャおよびＢピクチャを所定に配して、フレーム間圧縮を行う。そして、フレーム間圧縮されたディジタルビデオ信号に対して、ＤＣＴ(Discrete Cosine Transform)を用いてフレーム内圧縮を行い、さらに可変長符号を用いて圧縮符号化して出力する。ＭＰＥＧエンコーダ２１から出力された圧縮ディジタルビデオ信号は、ＭＵＸ／ＤＥＭＵＸ２４に供給される。
【００４７】
また、ベースバンド信号処理回路１４から出力されたディジタルオーディオ信号は、オーディオコーデック部２３に供給される。オーディオコーデック部２３は、記録時には入力されたディジタルオーディオ信号に対して圧縮符号化処理を行い、再生時には入力された圧縮ディジタルオーディオ信号に対して復号化処理を行う。オーディオコーデック部２３で、例えばＭＰＥＧ１レイヤ２方式により所定に圧縮符号化された圧縮ディジタルオーディオ信号は、ＭＵＸ／ＤＥＭＵＸ２４に供給される。
【００４８】
ＭＵＸ／ＤＥＭＵＸ２４は、記録時にはマルチプレクサとして機能し、再生時には、デマルチプレクサとして機能する。マルチプレクサとしての機能時には、供給された圧縮ディジタルビデオ信号および圧縮ディジタルオーディオ信号をそれぞれ所定サイズのパケットに分割し、パケット毎に所定にヘッダを付加してＭＰＥＧシステムに規定されるパケッタイズドエレメンタリストリーム（ＰＥＳ）として、圧縮ディジタルビデオ信号と圧縮ディジタルオーディオ信号とを多重化して出力する。ＭＵＸ／ＤＥＭＵＸ２４から出力されたＰＥＳは、記録／再生部２６に供給される。
【００４９】
一方、ＤＶ処理部２５に供給されたディジタルビデオ信号は、ＤＶフォーマットに従い、ＤＣＴを用いたフレーム内圧縮により圧縮符号化される。そして、圧縮されたディジタルビデオ信号は、ＤＶ処理部２５に供給されたディジタルオーディオ信号と共に、ＤＶフォーマットのストリームにマッピングされて出力される。ＤＶ処理部２５から出力されたストリームは、記録／再生部２６に供給される。
【００５０】
記録／再生部２６は、ＤＶフォーマットおよびＨＤ２フォーマットのうち、例えば図示されないユーザインターフェイスにより指定されたフォーマットに対応したデータを選択的に受け取る。これに限らず、上述したＭＰＥＧ処理部２０およびＤＶ処理部２５のうち、指定されたフォーマットに対応する方の機能だけを有効としておくようにしてもよい。記録／再生部２６は、受け取ったデータに対して所定にエラー訂正符号化処理を施し、さらに記録符号化し、磁気テープ２８への記録に適した記録信号を生成する。記録／再生部２６から出力された記録信号は、回転ヘッド２７に供給される。
【００５１】
磁気テープ２８への記録は、回転ヘッド２７が磁気テープ２８に対して斜めにトラックを形成する、ヘリカルスキャン方式によって行われる。図２は、磁気テープ２８に対する一例の記録フォーマットを概略的に示す。図２Ａに例示されるように、磁気テープ２８に対して、トラック１００、１００、・・・が斜めに形成され、１フレームのディジタルビデオ信号が複数のトラック１００、１００、・・・を用いて記録される。図２Ａにそれぞれ矢印で示されるように、磁気テープ２８が図の左側から右側に向けて走行され、回転ヘッド２７は、磁気テープ２８を図の下方から上方に向けてトレースする。
【００５２】
トラック１００のフォーマットは、現行のＤＶフォーマットに基づき、図２Ｂに例示されるように、回転ヘッド２７によるトレースの先頭側から、ＩＴＩ(Insert and Track Information)エリア１０４、オーディオエリア１０３、ビデオエリアお１０２よびサブコードエリア１０１の順にデータが配置される。図示しないが、各エリア間には、エディットギャップが設けられる。ＩＴＩエリア１０４は、システムデータが記録される。ビデオエリア１０２は、ビデオフォーマットがＨＤ１フォーマットまたはＤＶフォーマットであれば、先頭側にＡＰ２エリアが設けられる。ＨＤ２フォーマットの場合、ＡＰ２エリアは、設けられない。
【００５３】
図３は、ＩＴＩエリア１０４の一例の構成を示す。ＩＴＩエリア１０４には、トラック１００の先頭側から、スタートシンク、トラックピッチに関する情報（ＴＰ１、ＴＰ２）、トラックのサーボに関する情報（ＰＦ）、トラックのデータ構造を規定する情報（ＡＰＴ）およびＡＰＴにより規定されるシステムデータが格納される。ＨＤ２フォーマットで記録を行う場合、ＡＰＴに値"０１０ｂ"が記録され、ＤＶフォーマットで記録を行う場合、あるいは、ＨＤ１フォーマットで記録されたトラックは、ＡＰＴに値"０００ｂ"が記録される。
【００５４】
上述したＡＰ２は、ビデオエリア１０２のデータ構造を規定するものであり、ＤＶフォーマットで記録を行う場合、ＡＰ２に値０００ｂが記録される。また、ＨＤ１フォーマットで記録されたトラックは、ＡＰ２に値００１ｂが記録されている。
【００５５】
再生時の動作について説明する。ユーザが、このビデオカメラ装置１の動作を再生動作に切り替えるために、図示されないユーザインターフェイスを操作する。操作に応じた制御信号がＣＰＵ５０に供給され、ＣＰＵ５０により操作画面など所定の表示画面を表示させる表示制御信号が生成されると共に、ビデオカメラ装置１の各部に、動作モードが再生モードに切り替えられたことが通知される。ＣＰＵ５３は、この通知を受け、回転ヘッド２７の回転や磁気テープ２８の走行を駆動するメカ機構を再生時の動作に対応するように切り替えると共に、信号処理系の動作を再生モードに対応するように切り替える。
【００５６】
再生時は、回転ヘッド２７により磁気テープ２８のトラック１００、１００、・・・がＩＴＩエリア１０４側からトレースされ、ＩＴＩエリア１０４に格納されたＡＰＴと、ビデオエリア１０２に格納されたＡＰ２の値とに基づき、再生するディジタルビデオ信号のフォーマットが判定される。先ず、ＡＰＴの値に基づき、再生するディジタルビデオ信号のフォーマットがＨＤ２フォーマットであるか、ＤＶフォーマットまたはＨＤ１フォーマットであるかが判定される。ＤＶフォーマットまたはＨＤ１フォーマットであると判定されると、ビデオエリア１０２の末尾側に記録されるＡＰ２の値に基づき、ＤＶフォーマットおよびＨＤ１フォーマットの何れであるかが判定される。
【００５７】
再生時の処理は、記録時とは逆の処理となる。例えば、回転ヘッド２７が磁気テープ２８を所定にトレースして得られた再生信号は、記録／再生部２６に供給される。記録／再生部２６は、供給されたデータを所定に復調して再生ディジタル信号を得、この再生ディジタル信号に対してエラー訂正符号の復号化処理を行い、エラー訂正する。エラー訂正された再生ディジタル信号は、一旦、ＤＶ処理部２５に供給される。
【００５８】
ＤＶ処理部２５は、供給された再生ディジタル信号に対して、上述したフォーマット判定処理がなされる。その結果、再生するディジタルビデオ信号のフォーマットがＤＶフォーマットまたはＨＤ１フォーマットの何れかであれば、供給された再生ディジタル信号をＤＶ処理部２５内で処理し、再生ディジタルビデオ信号および再生ディジタルオーディオ信号を得る。この再生ディジタルビデオ信号および再生ディジタルオーディオ信号は、ベースバンド信号処理回路１４に供給される。
【００５９】
再生ディジタル信号に対するフォーマット判定処理の結果、再生するディジタルビデオ信号のフォーマットがＨＤ２フォーマットであれば、当該再生ディジタル信号は、ＭＰＥＧ処理部２０に供給され、ＭＵＸ／ＤＥＭＵＸ２４に入力される。
【００６０】
なお、ここでは、再生するディジタルビデオ信号のフォーマットを自動的に判定する場合について説明したが、これはこの例に限られず、フォーマットをユーザインターフェイス７１からユーザが手動で入力することもできる。
【００６１】
ＭＵＸ／ＤＥＭＵＸ２４は、上述したように再生時にはデマルチプレクサとして機能し、供給された再生ディジタル信号のパケットから、ヘッダ情報に基づきデータを取り出し、多重化されて記録されたディジタルビデオ信号やディジタルオーディオ信号を分離し、元のストリームを復元する。復元されたディジタルビデオ信号は、ＭＰＥＧデコーダ（ＤＥＣ）２２に供給され、圧縮符号を復号化されベースバンドの再生ディジタルビデオ信号とされる。同様に、復元されたディジタルオーディオ信号は、オーディオコーデック部２３に供給され、圧縮符号を復号化されベースバンドの再生ディジタルオーディオ信号とされる。これら再生ディジタルビデオ信号および再生ディジタルオーディオ信号は、ベースバンド信号処理回路１４に供給される。
【００６２】
ベースバンド信号処理回路１４は、供給された再生ディジタルビデオ信号に対して、所定の信号処理を施す。例えば、ベースバンド信号処理回路１４は、記録時と同様にして、再生ディジタルビデオ信号に対して、当該再生ディジタルビデオ信号のフォーマット（ＨＤ２フォーマット、ＤＶフォーマット、ＨＤ１フォーマット）に対応した画サイズ変換処理やカラーシステム変換処理、フレーム処理などを行う。また、ディジタルビデオ信号を、撮像画像のモニタなどに用いられる表示パネル３４、外部出力端子であるＤ４端子３１やＳＤ端子３９に供給するために、所定に画サイズ変換や各種処理を施す。
【００６３】
再生ディジタルオーディオ信号に対しても、外部出力などに適したように所定に処理する。再生ディジタルオーディオ信号は、ベースバンド信号処理回路１４で所定に処理されると、Ａ／Ｄ変換およびＤ／Ａ変換回路１８に供給され、アナログオーディオ信号に変換される。このアナログオーディオ信号は、オーディオ信号処理回路１７を介してオーディオ入出力端子１６に導出される。
【００６４】
ベースバンド信号処理回路１４に対して、ＯＳＤ(On Screen Display)部４１が接続される。ＯＳＤ部４１は、ＣＰＵ５０の命令に基づき、例えばこのビデオカメラ装置１に対して種々の設定を行うメニュー画面や、入力オーディオレベルや装置状態をチェックするためのステータス画面といった、撮像画像信号以外の画像信号を生成する。これら各種画面を描画するためのデータは、バス６０に接続されるＲＯＭ６１に予め記憶される。また、表示項目などをユーザが設定可能である場合には、例えば設定中のデータがＲＡＭ６２に記憶される。これに限らず、外部メモリ６４をメモリインターフェイス６３に装填し、外部メモリ６４に記憶されたデータを読み出してＯＳＤ表示のために用いてもよい。ユーザが設定したデータを外部メモリ６４に記憶させることもできる。
【００６５】
ＯＳＤ部４１で生成されたＯＳＤ用画像信号は、ベースバンド信号処理回路１４に供給される。ＯＳＤ用画像信号は、ベースバンド信号処理回路１４において、例えば撮像信号処理回路１３から供給された撮像画像に基づくディジタルビデオ信号と合成される。ＯＳＤ用画像信号が合成されたディジタルビデオ信号は、ユーザインターフェイスに対する指定に応じて、表示パネル３４やＥＶＦ３７に表示される。Ｄ４端子３１やＳＤ入出力端子に導出するようにしてもよい。
【００６６】
なお、このビデオカメラ装置１は、例えばコンピュータ装置と通信可能な通信インターフェイスを有する。この図１の例では、ビデオカメラ装置１は、ＩＥＥＥ(Institute Electrical and Electronics Engineers)１３９４に対応した１３９４Ｉ／Ｆ４０を有し、外部のコンピュータ装置などとディジタルビデオ信号およびディジタルオーディオ信号のやりとりを行うことができる。１３９４Ｉ／Ｆ４０に所定のケーブルが接続されているか否か、また、１３９４Ｉ／Ｆ４０を介してデータ通信が行われているか否かなどは、ＣＰＵ５３に通知される。
【００６７】
例えば、ＭＵＸ／ＤＥＭＵＸ２４やＤＶ処理部２５からディジタルビデオ信号およびディジタルオーディオ信号を取り出して１３９４Ｉ／Ｆ４０に供給し、ディジタルビデオ信号およびディジタルオーディオ信号をこれらコンピュータ装置が対応可能な所定のフォーマットにマッピングして、ＩＥＥＥ１３９４のプロトコルに従い送信する。また、コンピュータ装置から所定のフォーマットで、ＩＥＥＥ１３９４のプロトコルに基づき送信されたディジタルビデオ信号およびディジタルオーディオ信号を、１３９４Ｉ／Ｆ４０で受信し、ＭＵＸ／ＤＥＭＵＸ２４やＤＶ処理部２５に供給することもできる。
【００６８】
この外部のコンピュータ装置とのディジタルビデオ信号およびディジタルオーディオ信号の通信処理は、ビデオカメラ装置１の記録時および再生時の何れの場合でも、可能である。
【００６９】
次に、磁気テープ２８から再生するディジタルビデオ信号のフォーマットを判定する方法について、概略的に説明する。例えば、図４に一例が示されるような構成により、磁気テープ２８に形成されたトラック１００、１００、・・・が回転ヘッド２７によりトレースされる。回転ヘッド２７から出力された再生信号は、アンプ９０で増幅され、復調回路９１で所定に復調処理されディジタル信号が得られる。このディジタル信号は、スイッチ回路９３に供給されると共に、ＡＰＴ・ＡＰ２検出回路９２に供給される。ＡＰＴ・ＡＰ２検出回路９２は、供給されたディジタル信号からＡＰＴを抽出し、ＣＰＵ５３に供給する。また、ＡＰＴ・ＡＰ２検出回路９２は、必要に応じて、供給されたディジタル信号からＡＰ２を抽出し、ＣＰＵ５３に供給する。ＣＰＵ５３は、ＡＰＴやＡＰ２の値に基づき、磁気テープ２８から再生されたディジタル信号がＨＤ２フォーマットのものか、ＤＶフォーマットまたはＨＤ１フォーマットのものかを判定する。
【００７０】
ＣＰＵ５３は、再生ディジタル信号がＨＤ２フォーマットのものであると判定されれば、スイッチ回路９３で選択出力端９３Ａを選択し、復調回路９１から出力されたディジタル信号をＭＰＥＧ処理部２０に供給する。再生ディジタル信号がＤＶフォーマットまたはＨＤ１フォーマットの何れかのものであると判定されれば、ＡＰＴ・ＡＰ２検出回路９２に対して、ＡＰ２の値も抽出するように命令する。そして、ＡＰＴ・ＡＰ２検出回路９２から供給されたＡＰ２の値に基づき再生ディジタル信号がＤＶフォーマットまたはＨＤ１フォーマットの何れであるかを特定し、スイッチ回路９３で選択出力端９３Ｂを選択して復調回路９１から出力されたディジタル信号をＤＶ処理部２５に供給すると共に、ＤＶ処理部２５に対して、再生ディジタル信号がＤＶフォーマットまたはＨＤ１フォーマットの何れであるかを通知する。
【００７１】
図５は、ＣＰＵ５３による一例のフォーマット判定処理を示すフローチャートである。ステップＳ１０で、ＨＤ２フォーマット検出用のカウンタ値Ｋがリセットされる。ステップＳ１１で、ＡＰＴ・ＡＰ２検出回路９２の検出結果に基づきＡＰＴが取得され、次のステップＳ１２で、取得されたＡＰＴ値が判定される。
【００７２】
ステップＳ１２で、ＡＰＴの値が"０００ｂ"であると判定されれば、処理はステップＳ１３に移行し、フォーマットがＤＶフォーマットまたはＨＤ１フォーマットの何れであるかを判断する処理に入る。ステップＳ１３では、ＡＰＴ・ＡＰ２検出回路９２に対してＡＰ２の取得が要求され、この要求に応じたＡＰＴ・ＡＰ２検出回路９２からＡＰ２が取得される。ステップＳ１４で、取得されたＡＰ２が判定され、若し、ＡＰ２の値が"０００ｂ"であると判定されれば、再生ディジタル信号のフォーマットがＤＶフォーマットであるとされる（ステップＳ１５）。また、ＡＰ２の値が"００１ｂ"であると判定されれば、再生ディジタル信号のフォーマットがＨＤ１フォーマットであるとされる（ステップＳ１６）。また、ステップＳ１４またはステップＳ１５の処理に応じて、スイッチ回路９３において選択出力端９３Ｂが選択される。ステップＳ１５またはＳ１６の処理後、処理はステップＳ１０に戻され、次のトラックについて判定がなされる。
【００７３】
一方、ステップＳ１２で、ＡＰＴの値が"０１０ｂ"であると判定されれば、ＨＤ２フォーマットが検出された可能性があるとして、処理はステップＳ１７に移行する。ステップＳ１７以降の処理では、複数トラック（この例では１５トラック）連続してＨＤ２フォーマットが検出されるか否かを判断する。ステップＳ１７では、カウンタ値Ｋが"０"であるか、または、新ＡＰＴ、すなわち直前のステップＳ１１で取得されたＡＰＴと、旧ＡＰＴ、すなわち１トラック前のステップＳ１１で取得されたＡＰＴとが一致するか否かが判断される。若し、カウンタ値Ｋが"０"でなく、且つ、新ＡＰＴと旧ＡＰＴとが異なっていれば、処理はステップＳ１０に戻され、次のトラックについて判定がなされる。
【００７４】
ステップＳ１７で、カウンタ値Ｋが"０"であるか、または、新ＡＰＴと旧ＡＰＴとが一致すると判断されれば、処理はステップＳ１８に移行し、カウンタ値Ｋが"１"だけカウントアップされる。そして、次のステップＳ１９で、カウンタ値Ｋが"１５"を超えたか否かを判断する。カウンタ値Ｋが"１５"を越えていないと判断されれば、処理はステップＳ１１に戻され、次のトラックについて判定がなされる。一方、ステップＳ１９でカウンタ値Ｋが"１５"を越えたと判断されたら、処理はステップＳ２０に移行し、再生ディジタル信号のフォーマットがＨＤ２フォーマットであるとされる。また、スイッチ回路９３において選択出力端９３Ａが選択される。ステップＳ２０の処理後、処理はステップＳ１０に戻され、次のトラックについて判定がなされる。
【００７５】
次に、この発明の実施の第１の形態について説明する。この発明の実施の第１の形態では、信号処理やデータ配列などが異なる複数のフォーマットを扱う場合に、これらのフォーマットで以て記録された記録媒体（磁気テープ２８）を再生操作するために、ビデオカメラ装置１の一連の処理を状態遷移として定義する。そして、この状態遷移をフォーマット毎に定義し、ユーザの操作または記録媒体に記録された異なるフォーマットの切り替わりのタイミングで、ビデオカメラ装置１の状態遷移管理が自律的に切り替わるようにしている。
【００７６】
状態遷移は、例えば、第１の再生状態（例えば２倍速再生）が第２の再生状態（例えば１倍速再生）に遷移することをいい、この発明の実施の第１の形態では、この状態遷移をフォーマット毎に定義する。一例として、フォーマットが第１のフォーマットから第２のフォーマットに切り替わったときには、第１のフォーマット時の再生状態Ａが第２のフォーマットによる再生状態Ｂに状態遷移する、というように、フォーマット毎に、遷移元の状態と遷移先の状態とが定義される。
【００７７】
例えば、例えば磁気テープ２８を再生中に、記録されているフォーマットがＤＶフォーマット（またはＨＤ１フォーマット、以下、ＨＤ１フォーマットについての記述は適宜、省略する）からＨＤ２フォーマットへと切り替わったとき、あるいは、ＨＤ２フォーマットからＤＶフォーマットへと切り替わったときに、システムが自動的に状態を切り替える。また、例えばＨＤ２フォーマット上でユーザによるコマンドを受けたときに、システムが自動的に状態を切り替えるようにする。
【００７８】
実際の処理の第１の例としては、例えば、異なる２種類のフォーマット（第１のフォーマットおよび第２のフォーマットとする）において、一方のフォーマットにはあって、他方のフォーマットには無いメカモードについて、当該一方のフォーマットから他方のフォーマットへと再生するフォーマットが切り替わったときに、一方のフォーマットにおいて指定されたメカモードを、他方のフォーマットにおいて実行可能なメカモードに強制的にすげ替えるように、ＣＰＵ５３が状態遷移を管理する。このとき、すげ替え後の状態による画像がすげ替え前の状態で想定される画像に対して、見た目で大きく変わることがないようなメカモードを予め設定する。
【００７９】
また、実際の処理の第２の例としては、再生時のフォーマット上の制約などで、ユーザの操作に応じた処理が行えない場合に、システムは、実行可能な他の状態に自動的に遷移すると共に、ユーザに対してその旨を通知する。例えば、第１のフォーマットまたは第２のフォーマット上で、発行禁止とされているファイナルモードを発行しようとしたときや、ファイナルモードを発行中に当該ファイナルモードが発行禁止状態となったとき、当該ファイナルモードを強制的に別のファイナルモードに置換するように、ＣＰＵ５３が状態遷移を管理する。なお、ファイナルモードは、状態遷移後のメカモードを示す。
【００８０】
図６を用いて、第１の例について説明する。図６の部分Ａがこの第１の例に対応する。磁気テープ２８には、ＤＶフォーマットとＨＤ２フォーマットとが混在して記録されている。例えば、このビデオカメラ装置１において、ＤＶフォーマットは、２倍速再生や、コマ送り再生などの低速再生といった、ビデオ信号の記録時における時間軸と異なった速度で再生する変倍速再生は、可能である。一方、ＨＤ２フォーマットでは、ＤＶフォーマットに対して再生モードが制限され、例えば１倍速再生のみが可能とされる。
【００８１】
図６において、磁気テープ２８の再生に伴い、ＤＶフォーマット再生中に、時刻ｔ0でユーザインターフェイス７１で所定のキーが押下され、２倍速再生が指定されるとする。ＤＶフォーマットは、２倍速再生が可能なので、メカモードは２倍速再生を行う２倍速再生モードに遷移される。時刻ｔ1で、磁気テープ２８上に記録されるフォーマットがＤＶフォーマットからＨＤ２フォーマットに切り替わると、その旨が図３〜図５を用いて既に説明したようにしてＣＰＵ５３に検出される。検出結果は、ＣＰＵ５３からＣＰＵ５０に通知される。
【００８２】
上述したように、このビデオカメラ装置１は、ＨＤ２フォーマットにおける２倍速再生に対応していない。そこで、ＣＰＵ５０は、ＣＰＵ５３に送るためのファイナルモードを、このビデオカメラ装置１がＨＤ２フォーマットに対して対応している、他の動作モードをファイナルモードとしてＣＰＵ５３に送る。換言すれば、ユーザにより設定された動作モードが動作可能なファイナルモードにすげ替えられる。このとき、変換後のファイナルモードは、変換前のファイナルモードに対して最も近い動作や再生画像が得られる再生モードを選択すると、ユーザに違和感を与えず好ましい。
【００８３】
なお、ユーザ入力、磁気テープ２８上の記録フォーマットおよびファイナルモードの関係は、予めテーブルとしてＲＯＭ６１に記憶されている。ＣＰＵ５０は、ユーザ入力毎にこのテーブルを参照し、ファイナルモードを決定する。また、すげ替えられたため実行されなかった動作モード情報は、メモリ（ＲＡＭ６２、ＣＰＵ５０のレジスタなど）に所定に記憶される。
【００８４】
図６において、さらに、ＨＤ２フォーマットを再生中の時刻ｔ3にユーザインターフェイス７１から２倍速再生が指定された場合、ビデオカメラ装置１がＨＤ２フォーマットの２倍速再生に対応していないので、上述と同様に、ＨＤ２フォーマットの動作モードにおいて指定された２倍速再生モードに最も近い動作モード（この場合は１倍速再生モード）にすげ替えられてＣＰＵ５３に送られる。この図６の例では、ＤＶフォーマットからＨＤ２フォーマットへの切り替え時に、ファイナルモードの１倍速再生への変換が行われているので、１倍速再生が継続されることになる。
【００８５】
さらに、磁気テープ２８上の記録フォーマットが、時刻ｔ4でＨＤ２フォーマットからＤＶフォーマットに切り替わると、その旨がＣＰＵ５３に検出され、ＣＰＵ５３は、検出結果をＣＰＵ５０に通知する。ＣＰＵ５０は、この通知を受けて、現在すげ替えられて変換中の動作モードを、元のファイナルモード（この場合は、時刻ｔ3で予め指定されていた２倍速再生モード）に戻す。
【００８６】
なお、上述では、２倍速再生モードについて説明したが、これはこの例に限定されるものではない。例えば、ＤＶフォーマットで逆転コマ送り再生を行っているときに磁気テープ２８上のフォーマットがＨＤ２フォーマットに切り替わった場合、ＤＶフォーマットにおける逆転コマ送り再生モードは、ＨＤ２フォーマットで動作可能で、且つ、逆転コマ送り再生に最も再生画像が近いモード、例えば１倍速逆転再生モードにすげ替えられる。
【００８７】
また、このビデオカメラ装置１では、編集点検索のためのエディットサーチ動作を行うことができる。既に説明したように、ＨＤ２フォーマットは、１５フレームで１ＧＯＰが構成され、フレーム単位のつなぎ撮り点で停止することができない。そのため、ＣＰＵ５０は、ＨＤ２フォーマット再生中になされたエディットサーチ動作の指示コマンドを受け付けないようにされる。このとき、エディットサーチを指定するファイナルモードを、何も遷移を行わないことを示すファイナルモードにすげ替えることもできる。
【００８８】
図６を用いて、第２の例について説明する。図６の部分Ｂがこの第２の例に対応する。ここでは、フォーマット上の制約で操作に応じた処理が行えない動作モードとして、ＨＤ２フォーマットにおけるアフレコ（アフターレコーディング）動作を例にとって説明する。このビデオカメラ装置１は、ＨＤ２フォーマットにおけるアフレコ動作に対応しておらず、ＨＤ２フォーマットで再生中にアフレコ動作のファイナルモードを発行することが禁止される。
【００８９】
なお、アフレコは、既に記録されたビデオ信号を再生しながら、当該ビデオ信号の所定期間に対して、後からオーディオ信号を記録する動作である。既にオーディオ信号が記録されている場合には、アフレコ期間の記録済みオーディオ信号は、例えばアフレコによるオーディオ信号で上書きされる。
【００９０】
図６において、ＤＶフォーマット再生中にユーザインターフェイスからアフレコ動作が指定されるとする（図示しない）。このビデオカメラ装置１は、ＤＶフォーマットにおけるアフレコ動作に対応しているので、ＣＰＵ５０は、ファイナルモードとしてアフレコ動作モードを指定し、ＣＰＵ５３に通知する。ＣＰＵ５３は、この通知を受けてメカや信号処理系をアフレコ動作を行うように切り替え、時刻ｔ6でアフレコ動作が開始される。
【００９１】
アフレコ動作中に、磁気テープ２８の走行に伴いテープ上に記録されるフォーマットが、時刻ｔ7でＤＶフォーマットからＨＤ２フォーマットに切り替わると、ＣＰＵ５３によりその旨が検出され、検出結果がＣＰＵ５０に通知される。このビデオカメラ装置１は、ＨＤ２フォーマットにおけるアフレコ動作に対応していないので、ＣＰＵ５０は、この通知を受けて、ファイナルモードを停止モードにすげ替え、ＣＰＵ５３に通知する。ＣＰＵ５３は、この通知に従いアフレコ動作を自動停止させ（時刻ｔ8）、ＨＤ２フォーマットの再生状態とする。再生動作自体を停止させてもよい。また、アフレコ動作が自動停止されると、例えばＣＰＵ５０の命令に基づき表示パネル３４に対してその旨が表示される。
【００９２】
このＨＤ２フォーマットの再生状態中に、ユーザによりアフレコ動作が指定された場合（時刻ｔ9）、このビデオカメラ装置１では、ＨＤ２フォーマットで再生中にアフレコ動作のファイナルモードを発行することが禁止されている。したがって、アフレコ動作のファイナルモードは発行されず、動作モードは再生モードのまま変更されない。また、この場合には、アフレコ動作のファイナルモードが発行されていないため、この後、磁気テープ２８上のフォーマットがＨＤ２フォーマットからＤＶフォーマットに切り替わっても、アフレコ動作に自動的に遷移することはない。
【００９３】
図７は、この実施の第１の形態によるメカモード遷移の一例のフローチャートを示す。ユーザにより、ユーザインターフェイス７１に対して、例えば再生動作やアフレコ動作に関するキー操作を行うと、操作に応じた制御信号がユーザインターフェイス７１で発生され、ＣＰＵ５０に入力される（ステップＳ３０）。ＣＰＵ５０は、この入力に応じてトリガコードを作成する。図８は、入力情報とトリガコードとを対応付けるトリガコード検索テーブルの一例を示す。トリガコード検索テーブルは、例えばＲＯＭ６１に予め記憶される。ＣＰＵ５０は、キー操作などがなされると、このトリガコード検索テーブルを参照し、キー操作による入力情報と対応するトリガコードを検索する。
【００９４】
次に、ＣＰＵ５０は、検索されたトリガコードに対応するファイナルモードを取得する（ステップＳ３２）。図９は、トリガコードとファイナルモードとを対応付けるファイナルモード検索テーブルの一例を示す。このファイナルモード検索テーブルは、ファイナルモード毎に用意され、例えばＲＯＭ６１に予め記憶される。すなわち、先ず、ステップＳ３１でトリガコードが取得された時点のファイナルモードに対応するファイナルモード検索テーブルが検索される。そして、検索されたファイナルモード検索テーブルに対し、ステップＳ３１で取得されたトリガコードに対応した、次のファイナルモードがステップＳ３２で最終的に得られるファイナルモードとして検索される。
【００９５】
次のステップＳ３３では、ＣＰＵ５０は、ＣＰＵ５３による上述したフォーマット判定結果に基づき、磁気テープ２８上で現在再生中のフォーマットがＨＤ２フォーマットであれば、ファイナルモード変換処理を行う。図１０は、ファイナルモード変換テーブルの一例を示す。ファイナルモード変換テーブルは、例えば、ＤＶフォーマットにおけるファイナルモードと、当該ファイナルモードに最も動作や再生画像が近い、ＨＤ２フォーマットにおけるファイナルモードとが対応付けられている。ファイナルモード変換テーブルは、例えばＲＯＭ６１に予め記憶される。
【００９６】
また、ステップＳ３３では、フォーマット判定結果がＤＶフォーマットで、且つ、現在のファイナルモードがＨＤ２フォーマット検出時に変換されたものであれば、元の、すなわちＨＤ２フォーマット検出前のＤＶフォーマット時に設定されたファイナルモードに戻す。
【００９７】
ステップＳ３３でファイナルモードが変換されると、次のステップＳ３４で、ＣＰＵ５０からＣＰＵ５３に対して、状態遷移が発生した旨が通知される。
【００９８】
なお、ステップＳ３３およびステップＳ３４の処理は、図５を用いて説明したフォーマット判定処理に応じて繰り返して行われる。すなわち、ステップＳ３３内において、ＣＰＵ５３で図５のフローチャートの１トラック分の処理が行われ、フォーマット判定結果がＣＰＵ５３からＣＰＵ５０に対して通知される。ＣＰＵ５０は、通知されたフォーマット判定結果に基づき必要に応じてファイナルモード変換処理を行い、結果をＣＰＵ５３に通知する。そして、処理はステップＳ３３に戻され、次のトラックによるフォーマット判定処理が行われる。実際には、ステップＳ３０〜ステップＳ３２の処理も、トラック毎にユーザ操作による入力が待機されて行われる処理である。
【００９９】
次に、この発明の実施の第２の形態について説明する。磁気テープ２８上に複数のフォーマットが混在して記録されている場合は、フォーマットに対応するメカモードの切り替え処理としては、上述の実施の第１の形態で説明した方法が用いられる。この実施の第２の形態では、メカモードをユーザが指定する。例えば、メカモードのモード遷移に関して、指定されたフォーマットにおける状態遷移のみを強制的に行う。
【０１００】
図１１を用いて説明する。例えば、下地としてＤＶフォーマットによる記録が既に行われている磁気テープ２８に、ＨＤ２フォーマットにより記録を行う場合を考える。この場合、磁気テープ２８は、図１１に一例が示されているように、ＨＤ２フォーマットにより記録された領域の間に、下地として記録されたＤＶフォーマットの領域が所々存在する状況になることがある。このような磁気テープ２８を、上述したようなフォーマットの自動判定を行って再生すると、ＨＤ２フォーマットとＤＶフォーマットとが切り替わるところで、問題点として既に説明したように、再生できなくなる部分が発生する。
【０１０１】
そこで、この発明の実施の第２の形態では、ユーザは、例えば予めユーザインターフェイスから再生フォーマットとしてＨＤ２フォーマットを指定する。ＣＰＵ５０は、この指定に従い、ファイナルモードを全てＨＤ２フォーマットのものに強制的に設定する。その結果、図１１に例示されるようにＨＤ２フォーマットとＤＶフォーマットとが混在して記録された磁気テープ２８を再生すると、ＨＤ２フォーマットの部分だけが再生され、ＤＶフォーマットの部分は再生されず、無視されることになる。
【０１０２】
これによれば、磁気テープ２８上の記録フォーマットが切り替わるときに、再生が途切れることがなく、フォーマットの切り替え時に発生する遅延を無くすことができる。したがって、単一フォーマットを対象とした編集作業の際に、遅延による信号の取りこぼしが無い。
【０１０３】
次に、この発明の実施の第３の形態について説明する。図１を用いて説明したように、この発明に適用されるビデオカメラ装置１は、１３９４Ｉ／Ｆ４０が設けられ、コンピュータ装置などの外部機器とデータのやりとりが可能とされている。すなわち、コンピュータ装置から所定の形式で送信されたディジタルビデオ信号を１３９４Ｉ／Ｆ４０により受信し、磁気テープ２８に記録することができると共に、磁気テープ２８から再生されたディジタルビデオ信号を１３９４Ｉ／Ｆ４０を介して外部のコンピュータ装置に送信することができる。コンピュータ装置は、送信されたディジタルビデオ信号を例えばハードディスクに一旦記録し、編集作業などを行うことができる。
【０１０４】
ここで、例えば上述の図１１のような、ＨＤ２フォーマットとＤＶフォーマットとが混在して記録された磁気テープ２８を、フォーマット判定結果に応じて自動的に対応フォーマットを切り替えながら再生し、１３９４Ｉ／Ｆ４０から出力するような場合について考える。この場合、１３９４Ｉ／Ｆ４０により送信されるディジタルビデオ信号を受信する受信側が、ストリーム受信中のフォーマット変更に対応していない場合、受信側は、受信ストリームにおいてフォーマットが変更された時点で、深刻な問題が発生する可能性がある。
【０１０５】
そこで、この実施の第３の形態では、磁気テープ２８から再生したデータを、１３９４Ｉ／Ｆ４０を用いて外部に送信する際に、扱うフォーマットを指定できるようにしている。例えば、ユーザインターフェイスに対して、ビデオフォーマットを指定する操作部を設け、（１）自動判定、（２）ＨＤ２フォーマット、（３）ＤＶフォーマット、の３通りの選択が可能なようにする。
【０１０６】
（１）の自動判定モードでは、磁気テープ２８の再生時に、上述したフォーマット自動判定処理の判定結果に基づきビデオカメラ装置１の状態を遷移させ、磁気テープ２８から再生されたディジタルビデオ信号のフォーマットに応じた処理を行う。また、このビデオカメラ装置１は、外部のコンピュータ装置などから送信されたストリームを１３９４Ｉ／Ｆ４０により受信し、ストリームによって伝送されるディジタルビデオ信号やディジタルオーディオ信号の磁気テープ２８への記録や、表示パネル３４やビューファインダ３７への表示、Ｄ４端子３１からの出力などを行うことができる。（１）の自動判定モードでは、この１３９４Ｉ／Ｆ４０により受信されたストリームのフォーマット判定も、例えばストリームの所定のヘッダ情報に基づき自動的に行われる。
【０１０７】
（２）のＨＤ２フォーマットモードでは、システムの状態をＨＤ２フォーマット対応の状態に固定的に設定する。この場合、磁気テープ２８の再生時にＤＶフォーマットが検出されＤＶフォーマットによるディジタルビデオ信号が再生されても、出力系に対してＤＶフォーマットのディジタルビデオ信号による出力がなされないようにされる。すなわち、このＨＤ２フォーマットモード中は、ＤＶフォーマットのディジタルビデオ信号が再生されても、表示パネル３４やビューファインダ３７への画像の表示がなされないと共に、Ｄ４端子３１への出力の導出もなされないようにされる。また、再生されたＤＶフォーマットのディジタルビデオ信号は、１３９４Ｉ／Ｆ４０からの送信も行われないようにされる。
【０１０８】
（３）のＤＶフォーマットモードでは、（２）と同様に、システムの状態をＤＶフォーマット対応の状態に固定的に設定する。この場合、磁気テープ２８の再生時にＨＤ２フォーマットが検出されＨＤ２フォーマットによるディジタルビデオ信号が再生されても、出力系に対してＨＤ２フォーマットのディジタルビデオ信号が出力されないようにされる。すなわち、このＤＶフォーマットモード中は、ＨＤ２フォーマットのディジタルビデオ信号が再生されても、表示パネル３４やビューファインダ３７への画像の表示がなされないと共に、Ｄ４端子３１への出力の導出もなされないようにされる。また、再生されたＨＤ２フォーマットのディジタルビデオ信号は、１３９４Ｉ／Ｆ４０からの送信も行われないようにされる。
【０１０９】
１３９４Ｉ／Ｆ４０に対して例えばコンピュータ装置が接続されている場合は、上述の（１）〜（３）のモードのうち、（２）ＨＤ２フォーマットモード、あるいは、（３）ＤＶフォーマットモードのうち何れかを指定する。これにより、１３９４Ｉ／Ｆ４０から送信されるストリームのビデオフォーマットが、磁気テープ２８から再生されたディジタルビデオ信号のフォーマットに関わらず固定的とされ、送信先で、ストリームのビデオフォーマット変更により発生する可能性のある問題が回避される。
【０１１０】
なお、上述の（１）〜（３）の各モードの動作は、例えばＣＰＵ５０の命令に基づきＣＰＵ５３により制御される。
【０１１１】
上述した（２）ＨＤ２フォーマットモードおよび（３）ＤＶフォーマットモードにおいてシステムモードを固定的に設定したときに、設定したフォーマットとは異なるフォーマットのディジタルビデオ信号が磁気テープ２８から再生されたときや、１３９４Ｉ／Ｆ４０から入力されたときには、その旨を示すメッセージを表示パネル３４などに表示すると、好ましい。メッセージは、Ｄ４端子３１に接続された外部モニタ装置に表示するようにしてもよい。
【０１１２】
図１２は、設定されたシステムのフォーマットと、再生あるいは入力されたディジタルビデオ信号のフォーマットとが異なる場合の表示の例である。一例として、（２）のＨＤ２フォーマットモードに設定し、磁気テープ２８からＨＤ２フォーマットのディジタルビデオ信号が再生される、あるいは、１３９４Ｉ／Ｆ４０によりＨＤ２フォーマットのディジタルビデオ信号が受信されると、図１２Ａのように、再生または受信されたディジタルビデオ信号が例えば表示パネル３４に表示される。
【０１１３】
ここで、磁気テープ２８から再生された、あるいは、１３９４Ｉ／Ｆ４０により受信されたディジタルビデオ信号のフォーマットがＨＤ２フォーマットからＤＶフォーマットへと切り替わると、図１２Ｂに一例が示されるように、現在の設定では再生（表示）できない旨のメッセージが、図１２Ａの再生または受信映像に替わって、表示パネル３４などに表示される。図１２Ｂのメッセージ表示は、例えばＣＰＵ５０の命令に基づきＯＳＤ部４１で作成された画像信号に基づきなされる。
【０１１４】
以降の処理は、２通りが考えられる。第１は、このまま図１２Ｂのメッセージ画面を表示し続け、磁気テープ２８から再生、あるいは、１３９４Ｉ／Ｆ４０により受信されたディジタルビデオ信号のフォーマットが設定されたシステムのフォーマット（この例ではＨＤ２フォーマット）に戻るまで待機する。そして、再生あるいは受信されたディジタルビデオ信号のフォーマットが設定されたシステムのフォーマットに戻ったら、表示パネル３４などへのディジタルビデオ信号による表示を再開させる。
【０１１５】
第２は、図１２Ｂのメッセージを所定時間、例えば数秒間だけ表示させ、以降、図１２Ｃに一例が示されるように、磁気テープ２８の再生や１３９４Ｉ／Ｆ４０による受信を停止してしまう方法である。
【０１１６】
第１および第２の方法を組み合わせ、先ず第１の方法で再生あるいは受信されるディジタルビデオ信号のフォーマットが設定されたシステムのフォーマットに戻るまで、所定時間だけ待機し、所定時間を経過したら図１２Ｃのように、再生あるいは受信を停止してしまうことも考えられる。
【０１１７】
次に、この発明の実施の第３の形態の変形例について説明する。この実施の第３の形態の変形例では、１３９４Ｉ／Ｆ４０にＨＤ２フォーマットからＤＶフォーマットへのダウンコンバータを設け、ＭＵＸ／ＤＥＭＵＸ２４から供給されたＨＤ２フォーマットのディジタルビデオ信号およびディジタルオーディオ信号を、ＤＶフォーマットのディジタルビデオ信号およびディジタルオーディオ信号に変換して、外部に送信する。
【０１１８】
このダウンコンバータの機能は、ユーザインターフェイスからＯＮ／ＯＦＦすることができ、システムがＨＤ２フォーマットのときに、ＭＵＸ／ＤＥＭＵＸ２４から供給された信号を、ＯＮでＤＶフォーマットの信号に変換して送信し、ＯＦＦでＨＤ２フォーマットの信号のまま送信する。システムがＤＶフォーマットのときは、ダウンコンバート機能のＯＮ／ＯＦＦに関わらず、ＤＶフォーマットの信号が送信される。
【０１１９】
このダウンコンバータ機能により、ＤＶフォーマットの編集環境を持ち、ＨＤ２フォーマットのディジタルビデオ信号の編集環境を持たないユーザも、このビデオカメラ装置１で撮影および記録されたディジタルビデオ信号の編集を行うことができる。またその際、ビデオカメラ装置１から出力されるディジタルビデオ信号のフォーマットがＤＶフォーマットに固定的とされるため、ユーザ側で、フォーマット変更によるコンピュータ装置の問題が発生しない。
【図面の簡単な説明】
【０１２０】
【図１】この発明の実施の形態に適用可能なビデオカメラ装置の一例の構成を示すブロック図である。
【図２】磁気テープに対する一例の記録フォーマットを概略的に示す略線図である。
【図３】ＩＴＩエリアの一例の構成を示す略線図である。
【図４】磁気テープから再生するディジタルビデオ信号のフォーマットを判定するための一例の構成を示すブロック図である。
【図５】一例のフォーマット判定処理を示すフローチャートである。
【図６】この発明の実施の第１の形態による動作を説明するための図である。
【図７】この実施の第１の形態によるメカモード遷移の一例のフローチャートを示す。
【図８】トリガコード検索テーブルの一例を示す略線図である。
【図９】ファイナルモード検索テーブルの一例を示す略線図である。
【図１０】ファイナルモード変換テーブルの一例を示す略線図である。
【図１１】ＨＤ２フォーマットにより記録された領域の間に、下地として記録されたＤＶフォーマットの領域が所々存在することを示す略線図である。
【図１２】設定されたシステムと、再生あるいは入力されたディジタルビデオ信号とでフォーマットとが異なる場合の表示例を示す略線図である。
【図１３】ＭＰＥＧ２方式で１ＧＯＰが１５フレームから構成される場合の各フレームの一例の記録順を示す略線図である。
【図１４】ＤＶ方式とＭＰＥＧ方式２との切り替わり点でビデオデータを再生できない期間が生じてしまうことを説明するための図である。
【図１５】外部から入力されたビデオデータでもＤＶ方式とＭＰＥＧ方式２との切り替わり点でビデオデータを再生できない期間が生じてしまうことを説明するための図である。
【符号の説明】
【０１２１】
１４  ベースバンド信号処理部
２０  ＭＰＥＧ処理部
２４  ＭＵＸ／ＤＥＭＵＸ
２５  ＤＶ処理部
２６  記録／再生部
２７  回転ヘッド
２８  磁気テープ
３１  Ｄ４端子
３４  表示パネル
３７  ビューファインダ
４０  １３９４Ｉ／Ｆ
４１  ＯＳＤ部
５０，５１，５２，５３  ＣＰＵ
６１  ＲＯＭ
１００  トラック
１０４  ＩＴＩエリア
【図１】
2006065962.tif 000003
【図２】
2006065962.tif 000004
【図３】
2006065962.tif 000005
【図４】
2006065962.tif 000006
【図５】
2006065962.tif 000007
【図６】
2006065962.tif 000008
【図７】
2006065962.tif 000009
【図８】
2006065962.tif 000010
【図９】
2006065962.tif 000011
【図１０】
2006065962.tif 000012
【図１１】
2006065962.tif 000013
【図１２】
2006065962.tif 000014
【図１３】
2006065962.tif 000015
【図１４】
2006065962.tif 000016
【図１５】
2006065962.tif 000017